(57)【要約】【課題】栽培植物による吸収が良く肥効が高い燐酸質肥料を提供する。また、土壌中に固定されていて植物が吸収できない燐酸分を吸収できるようにする燐酸質肥料の可給化剤を提供する。【解決手段】上記燐酸質肥料はアルコール性水酸基を有する有機化合物の燐酸エステルを含有して成る。また、上記可給化剤はアルコール性水酸基を有する有機化合物を含有して成る。【効果】上記燐酸質肥料は栽培植物による吸収が良く肥効が高い。その上、土壌中に固定されていて植物が吸収できない燐酸分を吸収できるようにする。また、上記可給化剤は土壌中に固定されていて植物が吸収できない燐酸分を吸収できるようにする。【特許請求の範囲】
【請求項１】
アルコール性水酸基を有する有機化合物の燐酸エステ
ルを含有して成る燐酸質肥料。
【請求項２】
アルコール性水酸基を有する有機化合物を含有して成
る土壌中に固定された燐酸分の可給化剤。
【発明の詳細な説明】
【０００１】
【発明の属する技術分野】
本発明は、野菜、果樹等の栽培植物に効率良く吸収される燐酸質肥料及び土壌中に固定された燐酸分を吸収可能にする可給化剤に関する。
【０００２】
【従来の技術】
栽培植物の成長を助長し、収穫を増大するために肥料を施し、栽培植物がその成長過程で必要とする物質を人為的に供給することが太古より行なわれている。
そのため、肥効物質、肥料形態、施肥方法等について種々研究が続けられている。そして、有用有効な肥料が開発され市販されている。
【０００３】
しかしながら、施された肥料はその全てが栽培植物によって吸収利用される訳ではなく、表１に示されるように栽培植物によって吸収利用されるのは施肥量の一部に過ぎない。
【０００４】
【表１】
2004238231.tif 000002
【０００５】
表１は本発明者が福岡県農業技術課の資料に基づいて算出した福岡県における土耕野菜の施肥量に対する吸収率を示すものである。この表から明かなように、カリウム分についての幾つかの例外を除き、栽培植物によって吸収利用されるのは施肥量の一部であり、特に燐酸質肥料については利用率が低い。
【０００６】
【発明が解決しようとする課題】
本発明者は、栽培植物による利用率の高い肥料、特に利用率の低い燐酸質肥料について利用率の高い肥料を得るべく研究を重ね、アルコール性水酸基を有する有機化合物の燐酸エステルが栽培植物による燐酸の利用率が高いことを発見した。
【０００７】
本発明の燐酸質肥料は従来の燐酸質肥料に比し栽培植物の生育状況から見て植物による利用率が高いと判断されるのであるが、更に本発明者は、本発明の燐酸質肥料の圃場における試験を行なう中で、際立って高い肥効が得られる圃場があることを見出した。
【０００８】
その理由について、本発明者は次のように推定する。
土壌にはその成分としてアルミニウムが存在することが知られている。このアルミニウムは、アルミニウム単体として存在するとは考えられず、アルミノけい酸塩、アルミン酸塩、或いはアルミニウム塩として存在するものと思われる。本発明者の知る限りでは、アルミニウム単体（もしこの形態で存在するとすれば）、アルミニウム塩、及びアルミン酸塩は燐酸と反応して水不溶性の燐酸アルミニウムを生成する。それ故、畑地等においては過去に施肥された燐酸質肥料のかなりの部分は植物によって吸収されることのない燐酸アルミニウムの形態で土壌中に固定されている筈である。そこで、本発明の燐酸質肥料を施肥した場合、燐酸エステルの加水分解により生じたアルコール性水酸基を有する有機化合物が前記燐酸アルミニウムと反応して再び燐酸エステルとなることによって、土壌中に固定されていた燐酸分を植物が吸収できるようにしたものと思われる。
【０００９】
そこで、本発明者は、土壌中に燐酸が固定されていると思われる圃場に、燐酸エステルとしてではなくアルコール性水酸基を有する有機化合物自体即ち本発明の可給化剤の施用を試み、この場合も燐酸の肥効が得られることを確認した。
【００１０】
従って、本発明者は上記仮説は正しいと確信するが、その当否はともかく、過去に燐酸質肥料を施肥された土壌には何らかの形態で固定されている燐酸分が存在する場合があり、その場合は本発明の可給化剤の施用によって燐酸の肥効が得られることを、事実として認めることができる。
【００１１】
上述したように土壌中に植物によって吸収されない固定されている燐酸分が存在する場合、固定されていて植物によって吸収されず利用されない燐酸を利用できるようにすることは、施肥した肥料を最大限に利用することであり、非常に有益である。
【００１２】
【課題を解決するための手段】
従って、本出願請求項１記載の発明では燐酸質肥料としてアルコール性水酸基を有する有機化合物の燐酸エステルを採択した。
【００１３】
また、請求項２記載の発明では土壌中に固定された燐酸分の可給化剤としてアルコール性水酸基を有する有機化合物を採択した。
【００１４】
上記アルコール性水酸基を有する有機化合物としては或る程度の水溶性を有し栽培植物に害を及ぼさない物であれば使用できる。これらの化合物を若干例示すれば、アルコール性水酸基を有する有機化合物としてはエタノールやグリセリン等の低級脂肪族アルコール、並びにリブロースやアラビノース等のペントース類、グルコースやフルクトース等のヘキソース類の単糖類、庶糖等の二糖類、及びオリゴ糖類を包含する低分子糖類、及び低分子糖類から誘導されるグルコン酸等の糖酸類、並びにリンゴ酸やクエン酸等のオキシカルボン酸等が挙げられる。
【００１５】
また、上記アルコール性水酸基を有する有機化合物の燐酸エステルとしては、グリセロ燐酸、グリセリン三燐酸、グルコース−１−燐酸、及びグルコース−６−燐酸等が挙げられる。これらの燐酸エステルは塩の形態で用いるのがよく、カリウム、カルシウム、マグネシウム、マンガン、及びモリブデン等の塩が好適である。
【００１６】
【発明の実施の形態】
以下、実施例によって本発明を説明する。
【実施例１】
福岡県前原市において、５ａの圃場にニガウリ９６株（１９２株／１０ａ）を平成１４年４月から９月まで露地栽培で育成し、同年７月から９月まで収穫した。施肥は同年６月から８月まで燐酸分をグリセロ燐酸としたＮ−Ｐ−Ｋ：６．３−３．５−５．６の液肥１０リットルを水で希釈して２〜３日おきに潅水した。収穫量は３ｔ（６ｔ／１０ａ）で、これはニガウリ栽培適地である沖縄県における収穫量３ｔ／１０ａの２倍である。
【００１７】
【実施例２】
福岡県前原市において、平成１４年１０月５日から２０日間、育苗用トレイ（６列×１２列）及び園芸培土（ＪＡ糸島）を用い、Ｆ１晩生８８号花菜（中原採種場（株））を播種して育苗した。潅水は燐酸分をグリセロ燐酸としたＮ−Ｐ−Ｋ：６．３−３．５−５．６の液肥２，０００倍液をほぼ１日おきに行なった。他方で燐酸分が従来の燐酸分である以外は同一の条件で育苗を行なった。双方の成苗を比較した結果、本発明の燐酸質肥料を用いて育苗した成苗は従来の燐酸質肥料で育苗したものに対して草丈で１．５倍、茎径で２倍、根量に至っては４倍であり、本発明の燐酸質肥料を用いた場合の苗の成長が格段に良好であった。
【００１８】
【発明の効果】
本発明の燐酸質肥料は、上述のとおり、従来の燐酸質肥料よりも栽培植物による吸収が良く肥効が高いだけでなく、土壌中に固定されていて植物が吸収できない燐酸分までも吸収できるようにするという優れた効果を奏する。
また、本発明の燐酸質肥料の可給化剤は、それ自体は燐酸分を含有しないものの、土壌中に固定されていて植物が吸収できない燐酸分を吸収できるようにすることによって燐酸質肥料の肥効を発揮するという優れた効果を奏する。